(57)【要約】【課題】ワイヤネットからケーブルの端部にかかる側圧の値を小さくして、キャップの破損を防止することができるケーブルグリップを提供する。【解決手段】ワイヤ１１で筒状に編まれケーブル３の端末部が収容されるワイヤネット５と、ワイヤネット５の一方の開口部に設けられ、周方向の一部に環を途切る部位１３が形成されているリング状部材７と、リング状部材７から延出しており、先端部でお互いが結合されている複数本の綱状部材９とを有する。【選択図】図１
2018207768.tif 000002
【特許請求の範囲】
【請求項１】
ワイヤで筒状に編まれケーブルの端末部が収容されるワイヤネットと、
周方向の一部に環を途切る部位が形成されており、端末を保護するためのキャップが設置されている前記ケーブルを保持したときにおける前記キャップの破損を防止するために前記ワイヤネットに設けられるリング状部材と、
を有することを特徴とするケーブルグリップ。
【請求項２】
ワイヤで筒状に編まれケーブルの端末部が収容されるワイヤネットと、
外周に前記ワイヤネットが入り込む溝が形成されており、前記溝内に前記ワイヤネットが入り込むようにして、前記ワイヤネットの内側で前記ワイヤネットの一方の側に設けられ、周方向の一部に環を途切る部位が形成されているリング状部材と、
を有することを特徴とするケーブルグリップ。
【請求項３】
請求項２に記載のケーブルグリップにおいて、
前記溝の深さの値は、前記ワイヤネットを構成しているワイヤの外径の値以上の値になっていることを特徴とするケーブルグリップ。
【請求項４】
ワイヤで筒状に編まれケーブルの端末部が収容されるワイヤネットと、
前記ワイヤネットの一方の開口部に設けられ、周方向の一部に環を途切る部位が形成されているリング状部材と、
前記ワイヤネットとは反対側で、前記リング状部材から延出しており、先端部でお互いが結合されている複数本の綱状部材と、
を有することを特徴とするケーブルグリップ。
【請求項５】
請求項４に記載のケーブルグリップにおいて、
前記リング状部材には、前記ワイヤネットが係止されている第１の係止部と、前記綱状部材が係止されている第２の係止部とが設けられていることを特徴とするケーブルグリップ。
【請求項６】
請求項５に記載のケーブルグリップにおいて、
前記綱状部材は、前記ワイヤネットを構成し前記第１の係止部に係止されているワイヤが延びて前記第２の係止部に係止された後にさらに延びていることで形成されていることを特徴とするケーブルグリップ。
【請求項７】
請求項１〜請求項６のいずれか１項に記載のケーブルグリップにおいて、
前記リング状部材は、この中心軸と平行な平面によって切断されることで、前記環を途切る部位が形成されていることを特徴とするケーブルグリップ。
【請求項８】
請求項１〜請求項７のいずれか１項に記載のケーブルグリップにおいて、
前記リング状部材には、前記リング状部材の環の径が所定の値よりも小さくなることを防ぐためのストッパが設けられていることを特徴とするケーブルグリップ。
【請求項９】
請求項８に記載のケーブルグリップおいて、
前記リング状部材の環の径が小さくなるときには、前記環を途切る部位を間にしたリング状部材の一方の端部が、前記環を途切る部位を間にしたリング状部材の他方の端部と前記ストッパのガイド部との間に、入り込むように構成されていることを特徴とするケーブルグリップ。
【請求項１０】
ワイヤで筒状に編まれケーブルの端末部が収容されるワイヤネットと、前記ワイヤネットの長手方向の一方の端部に、前記ワイヤネットの一方の開口部を塞ぐように設けられた結束コネクタとを有するケーブルグリップに設置されるリング状部材であって、
外周に前記ワイヤネットが入り込む溝が形成されており、前記溝内に前記ワイヤネットが入り込むようにして、前記ワイヤネットの内側で前記ワイヤネットの一方の側に設けられ、周方向の一部に環を途切る部位が形成されていることを特徴とするリング状部材。
【発明の詳細な説明】
【技術分野】
【０００１】
本発明は、ケーブルグリップおよびリング状部材に係り、特に、ケーブルの一端部に設置され前記ケーブルを吊る等する場合に使用されるものに関する。
【背景技術】
【０００２】
従来、図１０で示すように、ワイヤを編むことで形成された筒状のワイヤネット３０１の一方の端部に結束コネクタ３０３を設けたケーブルグリップ３０５が知られている。また、ワイヤネット３０１の他方の端は開口している（開放されている）。
【０００３】
図１１で示すように、ワイヤネット３０１の他方の端からケーブル３０７をワイヤネット３０１内に挿入し、結束コネクタ３０３を引っ張る。すると、ワイヤネット３０１の端部が絞られてワイヤネット３０１の径が小さくなり、ワイヤネット３０１がケーブル３０７に付勢力をもって密着する。
【０００４】
そして、ワイヤネット３０１とケーブル３０７との間の摩擦力によって、ワイヤネット３０１でケーブル３０７を把持（保持）することができるようになっている。
【０００５】
なお、従来のケーブルグリップに関する技術文献として、特許文献１を掲げることができる。
【先行技術文献】
【特許文献】
【０００６】
【特許文献１】特開２００５−１３０５４７号公報
【発明の概要】
【発明が解決しようとする課題】
【０００７】
ところで、従来のケーブルグリップ３０５には様々なサイズがあり、サイズ毎に限度荷重が決められている。
【０００８】
従来のケーブルグリップ３０５を用いてケーブル３０７を保持したときに、上記限度荷重を越えて、ワイヤネット３０１からケーブル３０７の端部に大きな側圧がかかる場合がある。この側圧の値は、ワイヤネット３０１の径が急激に小さくなっているケーブル３０７の端（図１１では上端）で特に大きくなる。
【０００９】
そして、ケーブル３０７の端末を保護するための図示しないキャップ（たとえばビニルキャップ）がケーブル３０７の端部にはめられていると、上記キャップが割れるおそれがあるという問題がある。
【００１０】
本発明は、上記問題点に鑑みてなされたものであり、端末を保護するためのキャップが設置されているケーブルを保持したときに、ワイヤネットからケーブルの端部にかかる側圧の値を小さくして、前記キャップの破損を防止することができるケーブルグリップを提供することを目的とする。
【課題を解決するための手段】
【００１１】
請求項１に記載の発明は、ワイヤで筒状に編まれケーブルの端末部が収容されるワイヤネットと、周方向の一部に環を途切る部位が形成されており、端末を保護するためのキャップが設置されている前記ケーブルを保持したときにおける前記キャップの破損を防止するために前記ワイヤネットに設けられるリング状部材とを有するケーブルグリップである。
【００１２】
請求項２に記載の発明は、ワイヤで筒状に編まれケーブルの端末部が収容されるワイヤネットと、外周に前記ワイヤネットが入り込む溝が形成されており、前記溝内に前記ワイヤネットが入り込むようにして、前記ワイヤネットの内側で前記ワイヤネットの一方の側に設けられ、周方向の一部に環を途切る部位が形成されているリング状部材とを有するケーブルグリップである。
【００１３】
請求項３に記載の発明は、請求項２に記載のケーブルグリップにおいて、前記溝の深さの値は、前記ワイヤネットを構成しているワイヤの外径の値以上の値になっていることを特徴とするケーブルグリップである。
【００１４】
請求項４に記載の発明は、ワイヤで筒状に編まれケーブルの端末部が収容されるワイヤネットと、前記ワイヤネットの一方の開口部に設けられ、周方向の一部に環を途切る部位が形成されているリング状部材と、前記ワイヤネットとは反対側で、前記リング状部材から延出しており、先端部でお互いが結合されている複数本の綱状部材とを有するケーブルグリップである。
【００１５】
請求項５に記載の発明は、請求項４に記載のケーブルグリップにおいて、前記リング状部材には、前記ワイヤネットが係止されている第１の係止部と、前記綱状部材が係止されている第２の係止部とが設けられているケーブルグリップである。
【００１６】
請求項６に記載の発明は、請求項５に記載のケーブルグリップにおいて、前記綱状部材は、前記ワイヤネットを構成し前記第１の係止部に係止されているワイヤが延びて前記第２の係止部に係止された後にさらに延びていることで形成されているケーブルグリップである。
【００１７】
請求項７に記載の発明は、請求項１〜請求項６のいずれか１項に記載のケーブルグリップにおいて、前記リング状部材は、この中心軸と平行な平面によって切断されることで、前記環を途切る部位が形成されているケーブルグリップである。
【００１８】
請求項８に記載の発明は、請求項１〜請求項７のいずれか１項に記載のケーブルグリップにおいて、前記リング状部材には、前記リング状部材の環の径が所定の値よりも小さくなることを防ぐためのストッパが設けられているケーブルグリップである。
【００１９】
請求項９に記載の発明は、請求項８に記載のケーブルグリップおいて、前記リング状部材の環の径が小さくなるときには、前記環を途切る部位を間にしたリング状部材の一方の端部が、前記環を途切る部位を間にしたリング状部材の他方の端部と前記ストッパのガイド部との間に、入り込むように構成されているケーブルグリップである。
【００２０】
請求項１０に記載の発明は、ワイヤで筒状に編まれケーブルの端末部が収容されるワイヤネットと、前記ワイヤネットの長手方向の一方の端部に、前記ワイヤネットの一方の開口部を塞ぐように設けられた結束コネクタとを有するケーブルグリップに設置されるリング状部材であって、外周に前記ワイヤネットが入り込む溝が形成されており、前記溝内に前記ワイヤネットが入り込むようにして、前記ワイヤネットの内側で前記ワイヤネットの一方の側に設けられ、周方向の一部に環を途切る部位が形成されているリング状部材である。
【発明の効果】
【００２１】
本発明によれば、端末を保護するためのキャップが設置されているケーブルを保持したときに、ワイヤネットからケーブルの端部にかかる側圧の値を小さくして、前記キャップの破損を防止することができるという効果を奏する。
【図面の簡単な説明】
【００２２】
【図１】本発明の実施形態に係るケーブルグリップの概略構成を示す図である。
【図２】図１におけるＩＩ部の拡大図である。
【図３】図２におけるＩＩＩ矢視図であって、リング状部材に力が加わっていない状態を示す図である。
【図４】図２におけるＩＩＩ矢視図であって、リング状部材に力が加わったことで、リング状部材の径が最小になっている状態を示す図である。
【図５】変形例に係るケーブルグリップの概略構成を示す図である。
【図６】図５（ｂ）におけるＶＩ部の拡大図である。
【図７】変形例に係るケーブルグリップのリング状部材を示す図である。
【図８】図７におけるＶＩＩＩ矢視図である。
【図９】変形例に係るケーブルグリップのリング状部材の溝とワイヤネットのワイヤとの係合状態を示す図である。
【図１０】従来のケーブルグリップを示す図である。
【図１１】従来のケーブルグリップを示す図である。
【発明を実施するための形態】
【００２３】
本発明の実施形態に係るケーブルグリップ１は、たとえば、ケーブル３の先端を保持することで、ケーブル３を管路（図示せず）内に引き入れるとき使用されるものである。ケーブルグリップ１は、図１等で示すように、ワイヤネット５とリング状部材７と綱状部材（ロープ）９とを備えて構成されている。
【００２４】
ワイヤネット５は、ワイヤ１１を筒状に編むことで形成されており、ワイヤネット５には、ケーブル３の端末部が収容されるようになっている。
【００２５】
リング状部材７は、環状（リング状）に形成されており、ワイヤネット５の一方の開口部の全周にわたって設けられており、図３等で示すように、周方向の一部に環（リング）を途切る部位（１つの欠損部位）１３が形成されている。
【００２６】
リング状部材７は、たとえば、金属もしくは合成樹脂で構成されており、周方向の一部で環が途切れていることで（欠損部位１３が形成されていることで）、力が加わった場合に、弾性を備えたリング状部材７の環の径（内径や外径）が変化するようになっている。また、リング状部材７では、力を取り去ったときに、環の径がもとにもどるようになっている（図３、図４参照）。
【００２７】
綱状部材９は、ワイヤネット５とは反対側で、リング状部材７から延出している。綱状部材９は、複数本設けられており、結束コネクタ（締結部材）１５によって、先端部（リング状部材７から離れた端部）でお互いが結合されて一体化しまとまっている。
【００２８】
また、複数本の綱状部材９のそれぞれは、リング状部材７の周を等分配する位置で、リング状部材７から延出している。
【００２９】
リング状部材７は、この中心軸を含む平面による断面形状が、たとえば、縦方向の寸法が大きく横方向の寸法が小さい細長い矩形状に形成されているとともに、縦方向がリング状部材７の中心軸と平行になっている。
【００３０】
また、リング状部材７は、この中心軸と平行な平面（中心軸から所定の距離だけ離れているとともにリング状部材７にかかっている所定の平面）によって切断されることで、周方向の一部で環が途切れている1つの欠損部位１３が形成されている。
【００３１】
なお、上記所定の平面による切断は、環の２箇所に形成されることになるが、環が途切れている欠損部位１３は、２つの切断箇所のうちの１つの切断箇所で形成されており、２つの切断箇所のうちの他の１の切断箇所での切断はされていない。
【００３２】
リング状部材７に力が加わっていない状態では、図３で示すように、僅かな距離をあけてお互いが平行になって対向している２つの平面１７、１９が、欠損部位１３に形成されている。平面１７、１９は、環の内周面や外周面に対して斜めになっている。
【００３３】
そして、環の径を小さくする力がリング状部材７に加わると、図４で示すように、欠損部位１３で、環の一方の端部の外側に他方の端部が重なることで環の径が小さくなり、力を取り去ったときに、図３で示すように、環の径がもとにもどるようになっている。
【００３４】
さらに説明すると、リング状部材７の中心軸の延伸方向で見ると、欠損部位１３の一方側の部位（平面１７側の部位；外端）では、環の外周側の角部２１が鋭角になっている。欠損部位１３の他方側の部位（平面１９側の部位；内端）では、環の内周側の角部２３が鋭角になっている。内端と外端がそれぞれ環の内側と外側にずれ込んでいることで（２つの平面１７、１９の間隔が小さいことで）、外端の先端部と内端の先端部とが、環の周方向でお互いにオーバーラップしている。
【００３５】
そして、環の径が小さくするような力がリング状部材７に加わると、まず、欠損部位１３の２つの平面１７、１９がお互いに接触するようになっている。
【００３６】
さらに力が加わると、たとえば、欠損部位１３の一方の側の部位（平面１７側のリング状部材７の部位）の内周が、欠損部位１３の他方側の部位（平面１９側のリング状部材７の部位）の外周に接する。そして、欠損部位１３の他方の側の部位の外側に、環が途切れている部位の一方の側の部位が重なり、環の径が小さくなるようになっている。
【００３７】
なお、リング状部材７に力が加わっていない状態で、図４で示すように、欠損部位１３で、環の一方の端部の外側に他方の端部が重なっている構成であってもよい。そして、ケーブル３をケーブルグリップ１に設置したときに、リング状部材７の径が、図４で示す径よりも大きくなるように構成されていてもよい。さらに、リング状部材７に力が加わっていない状態で、リング状部材７が図３で示す形態と図４で示す形態との間の形態（径）になっていてもよい。
【００３８】
また、リング状部材７には、図３や図４で示すように、リング状部材７の環の径が所定の値よりも小さくなることを防ぐためのストッパ（たとえば、金属もしくは合成樹脂で構成されているストッパ）が設けられている。
【００３９】
さらに説明すると、ストッパ２５は、リング状部材７の外周から外側に突出している突起で形成されている。リング状部材７の中心軸の延伸方向で見ると、ストッパ２５はたとえば「Ｌ」字状になってリング状部材７から突出しており、欠損部位１３の近くで（平面１９側の部位の近くで）、リング状部材７の外周に設けられている。
【００４０】
そして、リング状部材７の環の径を小さくする力が加わったときに、図４で示すように、欠損部位１３の一方の側のリング状部材７の部位の先端部が「Ｌ」字状のストッパ内に入り込む。そして、リング状部材７の一方の先端（角部２１）がストッパ２５に当接し、リング状部材７の環の径が所定の値よりも小さくなることが防止されるようになっている。
【００４１】
すなわち、リング状部材７の一方の先端部が「Ｌ」字状のストッパ２５内に入り込むことで、欠損部位１３の一方の先端がストッパ２５に当接した状態で、リング状部材７の環の径を小さくする力がさらに加わっても、リング状部材７の環の形態が維持される。
【００４２】
なお、環の径が大きくなるような力（所定の許容値よりも小さい力）がリング状部材７に加わると、欠損部位１３の２つの平面１７、１９がお互いに離れるようになっている。環の径が大きくなるような力が無くなると、リング状部材７の環の径がもとにもどるようになっている。
【００４３】
また、リング状部材７の外周には、図３や図４で示すように、ワイヤネット５が係止されている第１の係止部（たとえば、金属もしくは合成樹脂で構成されている第１のフック）２７と、綱状部材９が係止されている第２の係止部２９とが設けられている。第２の係止部２９も、たとえば、金属もしくは合成樹脂で構成されている。
【００４４】
第１の係止部２７は、たとえば「Ｕ」字状に形成されており、「Ｕ」字を形成している線の両端部（Ｕ字の左右の上端）が、リング状部材７に設置されており、ワイヤネット５を構成しているワイヤ１１を第１の係止部２７に通すことができるようになっている。
【００４５】
リング状部材７の中心軸の延伸方向で見ると、図３等で示すように、第１の係止部２７は、複数設けられており、リング状部材７の周を等分配する位置に配置されており、リング状部材７の外周から環の外側に突出している。
【００４６】
第２の係止部２９は、たとえば、第１の係止部２７よりも大きい「Ｕ」字状に形成されており、第１の係止部２７と同様に、「Ｕ」字を形成している線の両端部が、リング状部材７に設置されている。そして、綱状部材９を構成しているワイヤ１１を第２の係止部２９に通すことができるようになっている。
【００４７】
第２の係止部２９は、第１の係止部２７よりも少ない数で複数設けられており、リング状部材７の中心軸の延伸方向で見ると、リング状部材７の周を等分配する位置に配置されている。
【００４８】
また、リング状部材７の中心軸の延伸方向では、図２で示すように、第１の係止部２７は、ワイヤネット５側に配置されており、第２の係止部２９は、綱状部材９側に配置されている。
【００４９】
さらに、上述したように、リング状部材７にこの径を小さくするような力が加わることで、リング状部材７の他方の側の部位の外側にリング状部材の一方の側の部位が重なる。このときに、リング状部材７（欠損部位１３）の一方の側の部位と、各係止部２７、２９との干渉を避けるために、各係止部２７、２９は、リング状部材の一方の側の部位が重なる部位を避けて設けられている。
【００５０】
なお、第１の係止部２７にワイヤ１１を通して編むことで、ワイヤネット５がリング状部材７に係止されており、リング状部材７と一体化している。また、第１の係止部２７や第２の係止部２９をリング状部材７の環の内側に設け、ストッパ２５の機能を持たせてもよい。
【００５１】
綱状部材９は、ワイヤネット５を構成し第１の係止部２７に係止されているワイヤ１１が延びて第２の係止部２９に係止された後にさらに延びていることで形成されている。すなわち、各ワイヤ１１のそれぞれが、途切れることなくつながって、ワイヤネット５と綱状部材９とを構成している。
【００５２】
ワイヤネット５は複数本のワイヤ１１を編むことで構成されており、綱状部材９は、複数本のワイヤ１１を撚り合わせることが形成されている。綱状部材９の本数は、ワイヤ１１の本数よりも少ない本数になっている。
【００５３】
さらに説明すると、複数本のワイヤ（たとえば１２本のワイヤ）１１を、複数群のワイヤ（２つの群のワイヤ）に分ける。各群におけるワイヤの本数はお互いが等しくなっている（たとえば、第１群のワイヤ本数が６本であり、第２群のワイヤ本数も６本になっている）。複数本（たとえば２本）の綱状部材９のそれぞれは、各群それぞれのワイヤ（たとえば６本のワイヤ）を撚り合わせることで構成されている。
【００５４】
次に、ケーブルグリップ１によるケーブル３の保持動作について説明する。
【００５５】
図１で示すように、ケーブルグリップ１のワイヤネット５内にケーブル３を収容（挿入）する。このときには、リング状部材７には、力が加わっておらず、リング状部材７（ワイヤネット５）の内径は、ケーブル３の外径よりも大きくなっている。なお、ケーブルグリップ１のワイヤネット５内にケーブル３を収容する前の状態で、リング状部材７（ワイヤネット５）の内径が、ケーブル３の外径と同じか、ケーブル３の外径よりも小さくなっていてもよい。
【００５６】
ケーブルグリップ１のワイヤネット５内にケーブル３を収容した状態で、図１で示す矢印の方向にケーブルグリップ１を引っ張る。すると、ケーブルグリップ１を管路等に挿入すると、従来のケーブルグリップと同様に、管路の内周面との摩擦力等によって、ケーブルグリップ１（リング状部材７やワイヤネット５）の径がすぼまり、ケーブル３を保持する。
【００５７】
ケーブルグリップ１によれば、結束コネクタ１５から延出しているワイヤ１１が、従来品のようにすぐに編まれてワイヤネットになっているのではなく、まず、綱状部材９になっており、続いて、リング状部材７に係止された後に、ワイヤネット５が形成されている。すなわち、結束コネクタ１５から延出している複数本のワイヤ１１が撚られることで、たとえば２本の綱状部材９が形成されている。そして、２本の綱状部材９がリング状部材７の第２の係止部２９で係止された後に解けて、１本１本のワイヤ１１に戻り、第１の係止部２７を通って編み込まれてワイヤネット５になっている。
【００５８】
これにより、リング状部材７よりも結束コネクタ１５側の部位では、たとえここにケーブル３やこのキャップ（図１では図示せず）が存在していても（図１の二点鎖線Ｐ１、Ｐ２参照）、このケーブル３やキャップに許容値を越える側圧がかかることはない。
【００５９】
また、ケーブルグリップ１によれば、リング状部材７がワイヤネット５の一方の開口部に設けられており、リング状部材７の環の一部が途切れている。これにより、端末を保護するためのキャップが設置されているケーブル３を保持したときに、ワイヤネット５の径が急激に小さくなることがなく、ワイヤネット５からケーブル３の端部にかかる側圧の値を小さくすることができる。そして、ケーブル３やキャップ（図示せず）の破損を防止することができる。キャップの破損を防止することで、短絡のおそれを回避することができ、品質の低下が抑えられる。
【００６０】
また、リング状部材７に欠損部位１３が形成されていることで、リング状部材７の径が変化し、径の異なるケーブル３を保持することができる。
【００６１】
さらに説明すると、ケーブルグリップ１の型番は、保持対象であるケーブル３のサイズによって、たとえば１０種類に分かれている。ケーブルグリップ１を用いることで、ケーブル３にかかる側圧の値が緩和されて小さくなれば、限度荷重が小さいときに用いられているものの使用範囲が広がる。すなわち、従来のケーブルグリップよりも広範囲のサイズのケーブルを、１つの型番のケーブルグリップ１で保持することができる。
【００６２】
これにより、限度荷重が高いときに使用する型番が不要になり、ケーブルのサイズに対応したケーブルグリップ１の型番（種類）を減らすことができ、ケーブルグリップ１を取り付ける際の効率が向上する（施工性が向上する）。
【００６３】
たとえば、ケーブルグリップの型番は、ケーブルのサイズによって１〜４、限度荷重によってＳとＬとに分かれている。
【００６４】
ＣＶＴ１００ｓｑの場合、荷重２００ｋｇｆまでは２Ｓの型番、それ以上は２Ｌの型番を使用する。ケーブルグリップ１では、側圧を緩和することで、２Ｓの型番のものの限度荷重が２Ｌの限度荷重である４００ｋｇｆとなり、２Ｓの型番のみで対応できるようになる。同様にして、Ｓの型番とＬの型番とを使い分ける２２ｓｑ、３８ｓｑ、６０ｓｑ、１５０ｓｑも、Ｓの型番のみで対応できるようになる。
【００６５】
また、ケーブルグリップ１によれば、中心軸と平行な平面によって切断されることで1つの欠損部位１３がリング状部材７に形成されており、欠損部位１３によって、環の内周面や外周面に対して斜めになっている２つの平面１７、１９が形成されている。これにより、リング状部材７に力が加わってリング状部材７が縮径するときに、欠損部位１３での引っ掛かりがなくなり、リング状部材７が確実に縮径する。
【００６６】
また、ケーブルグリップ１によれば、リング状部材７の環の径が所定の値よりも小さくなることを防ぐためのストッパ２５が設けられている。これにより、ケーブル３を保持したときに、ワイヤネット５からケーブル３の端部にかかる側圧の値を所定の値以下に確実にすることができ、ケーブル３やキャップの破損を確実に防止することができる。
【００６７】
また、ケーブルグリップ１によれば、リング状部材７の外周に第１の係止部２７と第２の係止部２９とが設けられているので、ケーブル３を保持したときに、安定してケーブル３の吊り上げ等をすることができる。
【００６８】
また、ケーブルグリップ１によれば、各ワイヤ１１のそれぞれが、途切れることなくつながって、ワイヤネット５と綱状部材９とを構成しているので、ケーブル３を保持してケーブル３の吊り上げ等をするときに、リング状部材７にかかる力を小さくすることができる。
【００６９】
次に、変形例に係るケーブルグリップ５１について説明する。
【００７０】
変形例に係るケーブルグリップ５１は、ケーブルグリップ１と同様にして、ケーブル７７の先端を保持することで、ケーブル７７を管路（図示せず）内に引き入れるとき使用されるものであり、図５〜図８で示すように、ワイヤネット５３と結束コネクタ５５とリング状部材５７とを備えて構成されている。
【００７１】
ワイヤネット５３は、ワイヤ５９を筒状に編んだことで形成されており、図５（ｂ）で示すように、ケーブル７７やケーブル７７の端部に設置されているキャップ７５の端末部が収容されるようになっている。
【００７２】
結束コネクタ５５は、筒状のワイヤネット５３の長手方向（ワイヤネット５３の長手方向の中心軸の延伸方向）の一方の端部に設けられており、筒状のワイヤネット５３の一方の開口部を塞いでいる。
【００７３】
ワイヤネット５３と結束コネクタ５５とで従来のものと同様なケーブルグリップ（本実施形態では「ケーブルグリップ本体６１」という場合がある。）が形成されている（図５（ａ）参照）。
【００７４】
リング状部材５７が、ケーブルグリップ本体６１の所定の位置に設置されることで、ケーブルグリップ５１を得ることができる。
【００７５】
リング状部材５７の外周には、ワイヤネット５３が入り込む溝６３が形成されている。リング状部材５７は、溝６３内にワイヤネット５３が入り込むようにして（たとえば、嵌り込むようにして）、ワイヤネット５３の内側でワイヤネットの一方の側（結束コネクタ５５の近傍）に設けられるようになっている（図５（ｂ）参照）。また、リング状部材５７は、リング状部材７と同様にして、環状（リング状）に形成されており、周方向の一部に環を途切る部位（欠損部位；切り欠き）６５が形成されている（図８参照）。
【００７６】
なお、リング状部材５７の溝６３へのワイヤネット５３の嵌り込みは、ケーブル７７の端末部をケーブルグリップ５１で保持するときになされるが、ケーブル７７の端末部をケーブルグリップ５１で保持する前にリング状部材５７をケーブルグリップ本体６１に設置したときになされ、しかもこの後、リング状部材５７の溝６３へのワイヤネット５３の嵌り込み状態が、ケーブル７７の端末部を保持するときも継続する構成であってもよい。
【００７７】
リング状部材５７は、リング状部材７と同様にして、たとえば、金属もしくは合成樹脂で構成されており、周方向の一部で環が途切れていることで（欠損部位６５が形成されていることで）、力が加わった場合に、弾性を備えたリング状部材５７の環の径（内径や外径）が変化するようになっている。また、リング状部材５７も、力を取り去ったときに、環の径がもとにもどるようになっている。
【００７８】
リング状部材５７は、リング状部材７と同様にして、この中心軸を含む平面による断面形状が、たとえば、縦方向の寸法が大きく横方向の寸法が小さい細長い矩形状に形成されているとともに、縦方向がリング状部材５７の中心軸と平行になっている。
【００７９】
また、リング状部材５７の外周のところに位置しているワイヤネット５３は、この総てがリング状部材５７の溝６３に入り込むようになっている。
【００８０】
リング状部材５７の溝６３の深さの値は、図９（ａ）(ｂ)等で示すように、ワイヤネット５３を構成しているワイヤ５９の外径の値以上の値になっている。すなわち、溝６３の深さの値がワイヤ５９の外径の値と等しい（図９（ａ）参照）か、ワイヤ５９の外径の値よりも大きくなっている（図９（ｂ）参照）。
【００８１】
また、溝６３の幅の値は、ワイヤネット５３を構成しているワイヤ５９の外径の値と等しくなっている。なお、溝６３の幅の値が、ワイヤネット５３を構成しているワイヤ５９の外径の値に対して、１．０倍〜１．９倍（好ましくは１．０倍〜１．４倍、より好ましくは１．０倍〜１．２倍、さらに好ましくは１．０倍）になっていてもよい。すなわち、溝６３の幅の値が、ワイヤネット５３を構成しているワイヤ５９が２本以上横並になって溝６３内に入らない値になっていればよい。
【００８２】
溝６３の深さの値がワイヤネット５３を構成しているワイヤ５９の外径の値以上の値になっていることにより、リング状部材５７の溝６３に入り込んでいるワイヤ５９が、リング状部材５７のリングの円筒側面状の外周から外側に突出しておらず、リング状部材５７のリングの外周の内側に位置している。
【００８３】
ところで、ワイヤネット５３において、これを構成しているワイヤ５９同士が交差している部位で、この交差している部位の外径の値が、ワイヤ５９単体の外径の値よりも大きくなっている場合がある。この場合には、溝６３の深さの値が、ワイヤ５９同士が交差している部位やこの近傍でさらに大きくなっており、リング状部材５７の溝６３に入り込んでいるワイヤネット５３の総て（ワイヤ５９同士が交差している部位を含む総て）が、リング状部材５７のリングの外周から外側に突出しておらず、リング状部材５７のリングの外周の内側に位置していることが望ましい。
【００８４】
なお、溝６３の深さの値を一定の値にして、リング状部材５７の溝６３に入り込んでいるワイヤネット５３のうちのワイヤ５９同士が交差している部位が、リング状部材５７のリングの外周から外側に突出している構成であってもよい。
【００８５】
また、ワイヤ５９同士が交差している部位の幅（径）の値がワイヤ５９単体の径の値よりも大きくなっている場合には、溝６３の、ワイヤ５９同士が交差している部位が入り込む部位の幅の値が、ワイヤ５９同士が交差している部位の幅の値にあわせて大きくなっている。
【００８６】
また、リング状部材５７には、リング状部材７と同様にして、ストッパ６７が設けられている。そして、リング状部材５７の環の径が小さくなるときには、縮径を開始した直後から継続して、環を途切る部位６５を間にしたリング状部材５７の一方の端部５７Ａが、環を途切る部位６５を間にしたリング状部材５７の他方の端部５７Ｂとストッパ６７との間に、入り込むように構成されている。
【００８７】
さらに説明すると、ストッパ６７は、図８で示すように、ストッパ本体部６９とガイド部７１とを備えて構成されている。ストッパ本体部６９は、リング状部材５７の他方の端部５７Ｂ側で、環を途切る部位６５から所定の距離だけ離れたところに位置しており、リング状部材７の環の径方向に僅かに延びてリング状部材５７の環の外周からリング状部材５７から離れる側に僅かに突出している。
【００８８】
ガイド部７１は円弧状に形成されており、ストッパ本体部６９の先端部から環を途切る部位６５に向かいリング状部材５７の円弧に沿って（リング状部材５７の円弧と平行になって）、環を途切る部位６５のところまで延出している。
【００８９】
これにより、ガイド部７１とリング状部材５７との間には、リング状部材５７の一方の端部５７Ａが入り込む空隙７３が形成されている。空隙７３の幅は、リング状部材５７の一方の端部５７Ａの幅と等しいか僅かに大きくなっている。
【００９０】
そして、リング状部材５７の環の径が小さくなるときに、縮径を開始した直後から継続して、リング状部材５７の一方の端部５７Ａが、他方の端部５７Ｂとストッパ６７のガイド部７１との間（空隙７３）に入り込むようになっている。
【００９１】
さらに、リング状部材５７が縮径を続けると、リング状部材５７の一方の端部５７Ａの先端がストッパ本体部６９に当接し、リング状部材５７がそれ以上縮径しないようになっている。
【００９２】
なお、ケーブルグリップ１のストッパ２５について、ケーブルグリップ５１のストッパ６７と同様なガイド部７１を設けてもよい。また、空隙７３の幅寸法の値（他方の端部５７Ｂとガイド部７１と間の距離）が、ストッパ本体部６９から環を途切る部位６５に向かうにしたがって次第に大きくなっていてもよいし、環を途切る部位６５の近傍のみで次第に大きくなっていてもよい。
【００９３】
次に、ケーブルグリップ５１によるケーブル７７の保持動作について説明する。
【００９４】
まず、図５（ａ）で示すように、リング状部材５７とケーブルグリップ本体６１とを用意し、図５（ｂ）で示すように、ケーブルグリップ本体６１にリング状部材５７を設置し、ケーブルグリップ５１を得る。
【００９５】
続いて、ケーブルグリップ１の場合と同様にして、ケーブルグリップ５１のワイヤネット５３内にケーブル７７や端部にキャップ７５が設置されているケーブル７７を収容（挿入）し、ケーブルグリップ５１（結束コネクタ５５）を引っ張り、ケーブルグリップ５１を管路等に挿入する。これにより、管路の内周面との摩擦力等によって、ケーブルグリップ５１（リング状部材５７やワイヤネット５３）の径がすぼまり、ケーブル７７等を保持する。
【００９６】
ケーブルグリップ５１によれば、リング状部材５７の溝６３内にワイヤネット５３が入り込むようにして、リング状部材５７がワイヤネット５３の内側でワイヤネット５３の一方の側に設けられることで、ケーブルグリップ５１が形成されているので、ケーブルグリップ５１の製造が容易になっておりしかもケーブルグリップ５１の製造コストが低減される。
【００９７】
すなわち、ケーブルグリップ１では、リング状部材７に、突起で構成されている第１の係止部２７と、突起で構成されている第２の係止部２９とを設けてあるので、溝６３を設けるよりも構成が煩雑になっている。また、ケーブルグリップ１では、第１の係止部２７や第２の係止部２９から延出しているワイヤ１１を編む等する必要がある。これにより、ケーブルグリップ１では、製造工程が煩雑になりしかも製造コストが上昇してしまう。
【００９８】
これに対して、ケーブルグリップ５１では、突起の代わりに溝６３を設けるだけでリング状部材５７が形成されているので、リング状部材５７そのもの製造が容易であり、しかも、リング状部材５７の製造コストを低減することができる。
【００９９】
また、ケーブルグリップ５１では、リング状部材から延出しているワイヤを編んでワイヤネット等を形成する必要がなく、たとえば、市販されているケーブルグリップ本体６１に、リング状部材５７を設置するだけでケーブルグリップ５１を得ることができるので、ケーブルグリップ５１の製造が容易になり、しかも、ケーブルグリップ５１の製造コストを低減することができる。
【０１００】
また、ケーブルグリップ５１では、溝６３の深さの値がワイヤネット５３を構成しているワイヤ５９の外径の値と等しいかワイヤ５９の外径の値よりも大きくなっており、リング状部材５７の溝６３に入り込んでいるワイヤネット５３が、リング状部材５７のリングの外周から外側に突出しておらず、リング状部材５７のリングの外周の内側に位置している。
【０１０１】
これにより、ケーブル７７の端末部をケーブルグリップ５１で保持するとき等において、ワイヤネット５３のリング状部材５７等への引っ掛かりがなくなり、リング状部材５７がスムーズに縮径し、ケーブル端末部のケーブルグリップ５１による保持が的確になされる。
【０１０２】
また、ケーブルグリップ５１によれば、リング状部材５７の溝６３の幅の値が、ワイヤネット５３を構成しているワイヤ５９の外径の値に対して、１．０倍〜１．９倍になっており、ワイヤネット５３を構成しているワイヤ５９が２本以上横並びになって（溝６３の幅方向に並んで；リング状部材５７の周方向に並んで）溝６３内に入らないようになっているので、ワイヤネット５３を構成しているワイヤ５９のからまり等を防止することができる。
【０１０３】
また、ケーブルグリップ５１によれば、リング状部材５７の環の径が小さくなるときに、環を途切る部位６５を間にしたリング状部材５７の一方の端部５７Ａが、他方の端部５７Ｂとストッパ６７のガイド部７１との間の空隙７３に常に入り込むように構成されているので、ワイヤネット５３を構成しているワイヤ５９がストッパ６７に引っ掛かること等が防止されるとともに、リング状部材５７が縮径するときに、リング状部材５７の他方の端部５７Ｂが、一方の端部５７Ａとストッパ６７とでガイドされ、リング状部材５７の縮径が的確になされる。
【０１０４】
ところで、リング状部材５７の溝６３についての上記説明は、図９（ａ）（ｂ）で示されている態様を例に掲げて説明したが、溝６３の形状を、図９（ｃ）〜（ｆ）で示すように適宜変更してもよい。なお、図９（ａ）〜（ｆ）で示す態様では、溝６３の幅寸法の値がワイヤ５９の径寸法の値と等しくなっているが、図９（ａ）〜（ｃ）（ｅ）（ｆ）で示す態様において、溝６３の幅寸法の値を、上述しまた図９（ｄ）で示すように適宜変更してもよい。
【０１０５】
図９（ｃ）で示す態様では、溝６３の深さ寸法の値がワイヤ５９の径寸法の値よりも小さくなっており、ワイヤ５９の一部がリング状部材５７の外周から突出している。
【０１０６】
図９（ｄ）で示す態様では、溝６３の幅や底面の円弧の半径が、ワイヤ５９の直径や半径よりも大きくなっている。
【０１０７】
図９（ｅ）で示す態様では、溝６３の底部では、幅寸法の値がワイヤ５９の外径の値と等しくなっているが、溝６３の上部側（開口部側；リング状部材５７の環の外周側）では、溝６３の幅寸法の値が次第に大きくなっている（一対のガイド面６３Ａ）が形成されている。これにより、ワイヤ５９が溝６３内に入りやすくなっている。
【０１０８】
図９（ｆ）で示す態様では、溝６３の底部で、幅寸法の値がワイヤ５９の外径と等しくなっているが、溝６３の開口部で、溝６３の幅寸法Ｂ１の値が、ワイヤ５９の外径よりも小さくなっている。この態様では、ワイヤ５９が溝６３に入り込むときに、溝６３におけるリング状部材５７の部位が弾性変形し、溝６３の幅寸法Ｂ１の値が一時的に大きくなり、ワイヤ５９の溝６３内への入り込みが終了した状態では、溝６３におけるリング状部材５７の部位が復元し、図９（ｆ）で示す状態になる。これにより、溝６３内に一旦入り込んだワイヤ５９が、溝６３から出にくくなる。
【０１０９】
なお、図９（ｅ）で示す態様と図９（ｆ）で示す態様とを併せた態様の溝６３をリング状部材５７に形成してもよい。この場合、溝６３の開口部のところに一対のガイド面６３Ａを設け、溝６３の深さ方向の中央部のところに幅寸法Ｂ１の部位を設けることになる。
【０１１０】
また、上述したケーブルグリップ１、５１は、ワイヤで筒状に編まれケーブルの端末部が収容されるワイヤネットと、周方向の一部に環を途切る部位が形成されており、端末を保護するためのキャップが設置されている前記ケーブルを保持したときにおける前記キャップの破損を防止するために（前記ワイヤネットから前記ケーブルの端部にかかる側圧の値を小さくして前記キャップの破損を防止するために）前記ワイヤネットに設けられるリング状部材（弾性を備えたリング状部材）とを有するケーブルグリップの例である。
【０１１１】
なお、リング状部材は、ケーブルを保持したときにワイヤネットとともに縮径するようになっている。
【０１１２】
また、上述したリング状部材は、ワイヤで筒状に編まれケーブルの端末部が収容されるワイヤネットと、前記ワイヤネットの長手方向の一方の端部に、前記ワイヤネットの一方の開口部を塞ぐように設けられた結束コネクタとを有するケーブルグリップに設置されるリング状部材であって、外周に前記ワイヤネットが入り込む溝が形成されており、前記溝内に前記ワイヤネットが入り込むようにして、前記ワイヤネットの内側で前記ワイヤネットの一方の側に設けられ、周方向の一部に環を途切る部位が形成されているリング状部材の例である。
【符号の説明】
【０１１３】
１  ケーブルグリップ
３  ケーブル
５  ワイヤネット
７  リング状部材
９  綱状部材
１１  ワイヤ
１３  環を途切る部位（欠損部位）
２５  ストッパ
２７  第１の係止部
２９  第２の係止部
５１  ケーブルグリップ
５３  ワイヤネット
５７  リング状部材
５７Ａ  リング状部材の一方の端部
５７Ｂ  リング状部材の他方の端部
５９  ワイヤ
６３  溝
６５  環を途切る部位
６７  ストッパ
７１  ガイド部
７５  キャップ
７７  ケーブル
【図１】
2018207768.tif 000003
【図２】
2018207768.tif 000004
【図３】
2018207768.tif 000005
【図４】
2018207768.tif 000006
【図５】
2018207768.tif 000007
【図６】
2018207768.tif 000008
【図７】
2018207768.tif 000009
【図８】
2018207768.tif 000010
【図９】
2018207768.tif 000011
【図１０】
2018207768.tif 000012
【図１１】
2018207768.tif 000013